(57)【要約】【課題】施設外において、個人を特定可能な個人認証タグおよびこれを用いた認証システムを提供することを目的とする。【解決手段】  本発明に係る個人認証タグは、プレート３の表面に本人の顔写真５を視認可能に記録し、プレート３の表面または裏面に本人を特定するための個人情報でない本人の個人情報、病歴等、または、対応方法を特定するために用いられる個人識別番号、照会機関への連絡先、および、有効期限を記載し、プレート３に設けられた孔７に本人が身に着けるための取付部材９が挿入されている。【選択図】図１
2016206253.tif 000002
【特許請求の範囲】
【請求項１】
プレートの表面に本人の顔写真を視認可能に記録し、プレートの表面または裏面に本人を特定するための個人情報でない個人識別番号、照会機関への連絡先、および、有効期限を記載し、プレートに設けられた孔に本人が身に着けるための取付部材が挿入されている事を特徴とする個人認証タグ。
【請求項２】
プレートの表面に本人の顔写真を視認可能に記録し、本人を特定するための個人情報でない個人識別番号、照会機関への連絡先を暗号化した暗号情報を記録する記憶手段が内蔵され、プレートに設けられた孔に本人が身に着けるための取付部材が挿入されている事を特徴とする個人認証タグ。
【請求項３】
個人識別番号は、本人の個人情報、病歴等、または、対応方法を特定するために用いられる事を特徴とする請求項１または請求項２に記載の個人認証タグ。
【請求項４】
入力手段と、
請求項１の個人認証タグに記載された個人識別番号と、個人識別番号に対応して個人情報、病歴等、または、対応方法を記憶した個人認証用データベースと、
入力手段に個人識別番号が入力されると、個人認証用データベースに記憶された本人の個人情報、病歴等、または、対応方法を読みだして、表示する表示手段を有する照会装置を備えた事を特徴とする個人認証タグを用いた認証システム。
【請求項５】
請求項２の記憶手段に暗号情報を記録する記録装置と、
記憶手段に記録された暗号情報を読み込み、暗号情報から個人認証タグに記載された個人識別番号、照会機関への連絡先を復号化し、連絡先へ個人識別番号を送信する読取送受信装置と、
送信される個人識別番号と、この個人識別番号に対応して個人情報、病歴等、または、対応方法を記憶した個人認証用データベースと、読取送受信装置から個人識別番号を受信すると、個人認証用データベースに記憶された本人の個人情報、病歴等、または、対応方法を表示する表示手段を有する照会装置とを備えた事を特徴とする個人認証タグを用いた認証システム。
【請求項６】
照会装置は、位置情報と位置情報に対応した対象地域の所定の機関を記憶した位置情報データベースと、読取送受信装置に通知する通知手段を備え、
読取送受信装置は読取送受信装置の位置情報を照会装置に送信し、通知手段は送信された位置情報に基づき位置情報データベースから読み出された対象地域の所定の機関の連絡先を読取送受信装置に送信することを特徴とする請求項５に記載の個人認証タグを用いた認証システム。
【請求項７】
読取送受信装置は、読取送受信装置の識別情報と、この識別情報に対応して記憶された使用者を特定する使用者識別情報を記録する使用者識別データベースと、使用者識別データベースに基づき読取送受信装置の使用者を特定する使用者特定手段と、通知手段を備え、
照会装置は、読取送受信装置の識別情報と、この識別情報に対応して記憶された使用者および携帯電話番号を記録する使用者識別データベースを備え、
使用者特定手段が、読取送受信装置に入力されるパスワード、バイオメトリック情報、または、位置情報から使用者を特定し、使用者を特定する使用者情報を照会装置へ送信し、
照会装置は、使用者情報に基づき使用者識別データベースから携帯電話番号を読み出し、
通知手段は、携帯電話番号を用いて使用者認証情報を使用者の電話に送信し、
読取送受信装置は、使用者が読取送受信装置に使用者認証情報を入力すると、読取送受信装置が個人認証タグから暗号情報を読取可能にする読取許可手段を備えることを特徴とする請求項５に記載の個人認証タグを用いた認証システム。
【発明の詳細な説明】
【技術分野】
【０００１】
本発明は、個人認証タグおよびこれを用いた認証システムに関するものである。
【背景技術】
【０００２】
従来、特定の施設内で利用する、認証タグとこれを用いた個人認証システムが提案されていた（特許文献１）。
【０００３】
この特許文献１は、施設に備えられる設備を利用する利用者に装着される認証タグと、前記施設に設置される個人認証装置と、前記施設の１以上の設備に付設され、前記個人認証装置とネットワーク接続されるセキュリティ装置とから構成され、前記利用者が前記設備を利用しようとするごとに個人認証を行うことによって前記施設のセキュリティを確保する個人認証システムであって、
前記認証タグは、第１の通信手段と、認証タグ着脱検出手段と、第１の制御手段とを備え、
前記第１の通信手段は、前記個人認証装置及び前記セキュリティ装置と通信を行う機能を有し、
前記認証タグ着脱検出手段は、前記認証タグの着脱状態を検出する機能を有し、前記第１の制御手段は、前記認証タグに固有の番号である認証タグＩＤを記憶する認証タグＩＤ記憶部及びその認証タグＩＤの有効性を示す認証タグＩＤ有効フラグを記憶する認証タグＩＤ有効フラグ記憶部を備え、前記認証タグＩＤ有効フラグを無効にする機能と、前記第１の通信手段を介して前記個人認証装置から前記認証タグＩＤ有効フラグを有効にする指示情報を受信したとき、前記認証タグＩＤ有効フラグを有効にする機能と、前記第１の通信手段を介して、前記セキュリティ装置からの要求に応じて前記認証タグＩＤ有効フラグ記憶部に記憶された認証タグＩＤ有効フラグを送信する機能を有し、
前記個人認証装置は、第２の通信手段と、第２の制御手段とを備え、
前記第２の通信手段は、前記認証タグと通信を行う機能を有し、
前記第２の制御手段は、前記認証タグに前記認証タグＩＤ有効フラグを有効にする指示情報を送信することによって前記認証タグを有効にする機能を有し、
前記セキュリティ装置は、第３の通信手段と、設備利用制御手段と、第３の制御手段とを備え、
前記第３の通信手段は、前記認証タグと通信を行う機能を有し、
前記設備利用制御手段は、前記利用者による前記設備の利用を可能又は不可とするように前記設備を制御する機能を有し、
前記第３の制御手段は、前記第３の通信手段を介して前記認証タグから受信した認証タグＩＤ有効フラグが有効であったとき、前記設備利用制御手段に前記設備を利用可能とするように指示する指示情報を送信する機能を有することを特徴とする個人認証システムを開示するものである。
【先行技術文献】
【特許文献】
【０００４】
【特許文献１】特開２００５−１１５７８６号公報
【発明の概要】
【発明が解決しようとする課題】
【０００５】
しかし、特許文献１に開示された認証タグおよび個人認証システムは、施設内の利用を前提としており、施設外での利用は想定されていない。
【０００６】
また、認証タグだけでは、個人を特定することができないという問題があった。
【０００７】
そこで、本発明は、施設外で個人を特定可能な、個人認証タグおよびこれを用いた認証システムを提供することを目的とする。
【課題を解決するための手段】
【０００８】
上記課題を解決するために、請求項１に記載の個人認証タグに係る発明は、例えば、図１（Ａ）に示すように、プレートの表面に本人の顔写真を視認可能に記録し、プレートの表面または裏面に本人を特定するための個人情報でない個人識別番号、照会機関への連絡先、および、有効期限を記載し、プレートに設けられた孔に本人が身に着けるための取付部材が挿入されている事を特徴とする。
【０００９】
請求項１に記載の個人認証タグに係る発明によれば、プレートの表面に本人の顔写真を視認可能に記録し、プレートの表面または裏面に本人を特定するための個人情報でない個人識別番号、照会機関への連絡先、および、有効期限を記載し、プレートに設けられた孔に本人が身に着けるための取付部材が挿入されているので、取付部材で本人に取り付けられたプレートに記録された顔写真を視認することにより、施設外で個人を特定し、かつ、照会機関へ連絡することができる。
【００１０】
請求項２に記載の個人認証タグに係る発明は、例えば、図１（Ｂ）に示すように、プレートの表面に本人の顔写真を視認可能に記録し、本人を特定するための個人情報でない個人識別番号、照会機関への連絡先を暗号化した暗号情報を記録する記憶手段が内蔵され、プレートに設けられた孔に本人が身に着けるための取付部材が挿入されている事を特徴とする。
【００１１】
請求項２に記載の個人認証タグに係る発明によれば、プレートの表面に本人の顔写真を視認可能に記録し、本人を特定するための個人情報でない個人識別番号、照会機関への連絡先を暗号化した暗号情報を記録する記憶手段が内蔵され、プレートに設けられた孔に本人が身に着けるための取付部材が挿入されているので、取付部材で本人に取り付けられたプレートに記録された顔写真を視認することにより、施設外で個人を特定し、かつ、暗号情報を読み取ることにより照会機関へ連絡することができる。
【００１２】
請求項３に記載の個人認証タグに係る発明は、個人識別番号は、本人の個人情報、病歴等、または、対応方法を特定するために用いられる事を特徴とする。
ここで、病歴等には、病歴の他に、（ａ）薬の履歴および現状使用している薬の内容、（ｂ）手術履歴、（ｃ）薬、食べ物、飲み物、物質（花粉、ほこり、匂い、温度、湿度）等のアレルギー及びその原因、（ｄ）社会への適合が難しい問題（怒りやすい、反抗的、人間関係を作れない等）、（ｅ）情緒不安定となる要因、（ｆ）考え方や性格の問題（一般的に問題となる性格、一般的に社会生活をする事が難しいとされる様な性格）、（ｇ）人格の問題、（ｈ）社会への適合の難しくなる要因とその結果（ある要因により一般的な社会生活をすることが出来ない要因と結果）、（ｉ）音・匂い・声・色等への問題（嫌悪するものや問題を起こす原因）、（ｊ）食べ物や飲み物の嗜好、または、（ｋ）一般生活で問題となる点（ある要因が有ると一般的な生活が難しいこと、例えば、狭いところには入れない、人が多いところに行けない、高いところに行けない、異性と話が出来ない等）、（ｌ）身体的特徴（身長、体重、指紋、声紋等）等がある。
【００１３】
請求項３に記載の個人認証タグに係る発明によれば、個人識別番号は、本人の個人情報、病歴等、または、対応方法を特定するために用いられるので、緊急時等に本人に代わって他者が本人の個人情報、病歴をふまえてどのように対応すればよいか知ることができる。
【００１４】
請求項４に記載の個人認証タグを用いた認証システムに係る発明は、例えば、図３に示すように、
入力手段と、
請求項１の個人認証タグに記載された個人識別番号と、個人識別番号に対応して個人情報、病歴等、または、対応方法を記憶した個人認証用データベースと、
入力手段に個人識別番号が入力されると、個人認証用データベースに記憶された本人の個人情報、病歴等、または、対応方法を読みだして、表示する表示手段を有する照会装置を備えた事を特徴とする。
【００１５】
請求項４に記載の個人認証タグを用いた認証システムに係る発明によれば、入力手段と、  請求項１の個人認証タグに記載された個人識別番号と、個人識別番号に対応して個人情報、病歴等、または、対応方法を記憶した個人認証用データベースと、入力手段に個人識別番号が入力されると、個人認証用データベースに記憶された本人の個人情報、病歴等、または、対応方法を読みだして、表示する表示手段を有する照会装置を備えているので、本人の個人情報、病歴等をふまえてどのように対応すればよいか知ることができる。
【００１６】
請求項５に記載の個人認証タグを用いた認証システムに係る発明は、例えば、図３に示すように、
記憶手段に暗号情報を記録する記録装置と、
記憶手段に記録された暗号情報を読み込み、暗号情報から個人認証タグに記載された個人識別番号、照会機関への連絡先を復号化し、連絡先へ個人識別番号を送信する読取送受信装置と、
送信される個人識別番号と、個人識別番号に対応して個人情報、病歴等、または、対応方法を記憶した個人認証用データベースと、読取送受信装置から個人識別番号を受信すると、個人認証用データベースに記憶された本人の個人情報、病歴等、または、対応方法を表示する表示手段を有する照会装置とを備えた事を特徴とする。
【００１７】
請求項５に記載の個人認証タグを用いた認証システムに係る発明によれば、記憶手段に暗号情報を記録する記録装置を備えるので、各種情報を安全に記憶手段に記録することができる。また、記憶手段に記録された暗号情報を読み込み、暗号情報から個人認証タグに記載された個人識別番号、照会機関への連絡先を復号化し、連絡先へ個人識別番号を送信する読取送受信装置を備えるので、照会機関への照会をする手段を限定することができる。さらに、送信される個人識別番号と、個人識別番号に対応して個人情報、病歴等、または、対応方法を記憶した個人認証用データベースと、読取送受信装置から個人識別番号を受信すると、個人認証用データベースに記憶された本人の個人情報、病歴等、または、対応方法を表示する表示手段を有する照会装置を備えているので、本人の個人情報、病歴等をふまえてどのように対応すればよいか知ることができる。
【００１８】
請求項６に記載の個人認証タグを用いた認証システムに係る発明は、例えば、図３に示すように、
照会装置は、位置情報と位置情報に対応した対象地域の所定の機関を記憶した位置情報データベースと、読取送受信装置に通知する通知手段を備え、
読取送受信装置は読取送受信装置の位置情報を照会装置に送信し、通知手段は送信された位置情報に基づき位置情報データベースから読み出された対象地域の所定の機関の連絡先を読取送受信装置に送信することを特徴とする。
【００１９】
請求項６に記載の個人認証タグを用いた認証システムに係る発明によれば、照会装置は、位置情報と位置情報に対応した対象地域の所定の機関を記憶した位置情報データベースと、読取送受信装置に通知する通知手段を備えているので、読取送受信装置から取得する位置情報に対応した適切な所定の機関を読取送受信装置に通知することができる。また、読取送受信装置は読取送受信装置の位置情報を照会装置に送信し、通知手段は送信された位置情報に基づき位置情報データベースから読み出された対象地域の所定の機関の連絡先を読取送受信装置に送信することができるので、通知手段は位置情報に対応した適切な所定の機関を読取送受信装置に通知できる。
【００２０】
請求項７に記載の個人認証タグを用いた認証システムに係る発明は、例えば、図３に示すように、
読取送受信装置は、読取送受信装置の識別情報と、この識別情報に対応して記憶された使用者を特定する使用者識別情報を記録する使用者識別データベースと、使用者識別データベースに基づき読取送受信装置の使用者を特定する使用者特定手段と、通知手段を備え、
照会装置は、読取送受信装置の識別情報と、この識別情報に対応して記憶された使用者および携帯電話番号を記録する使用者識別データベースを備え、
使用者特定手段が、読取送受信装置に入力されるパスワード、バイオメトリック情報、または、位置情報から使用者を特定し、使用者を特定する使用者情報を照会装置へ送信し、
照会装置は、使用者情報に基づき使用者識別データベースから携帯電話番号を読み出し、
通知手段は、携帯電話番号を用いて使用者認証情報を使用者の電話に送信し、
読取送受信装置は、使用者が読取送受信装置に使用者認証情報を入力すると、読取送受信装置が個人認証タグから暗号情報を読取可能にする読取許可手段を備えることを特徴とする。
【００２１】
請求項７に記載の個人認証タグを用いた認証システムに係る発明によれば、読取送受信装置は、読取送受信装置の識別情報と、この識別情報に対応して記憶された使用者を特定する使用者識別情報を記録する使用者識別データベースと、使用者識別データベースに基づき読取送受信装置の使用者を特定する使用者特定手段と、通知手段を備えるので、送受信装置と使用者を特定し照会装置に通知することができる。また、照会装置は、読取送受信装置の識別情報と、この識別情報に対応して記憶された使用者および携帯電話番号を記録する使用者識別データベースを備えるので、使用者の携帯電話番号を特定することができる。使用者特定手段が、読取送受信装置に入力されるパスワード、バイオメトリック情報、または、位置情報から使用者を特定し、使用者を特定する使用者情報を照会装置へ送信し、照会装置は、使用者情報に基づき使用者識別データベースから携帯電話番号を読み出し、通知手段は、携帯電話番号を用いて使用者認証情報を使用者の電話に送信し、読取送受信装置は、使用者が読取送受信装置に使用者認証情報を入力すると、読取送受信装置が個人認証タグから暗号情報を読取可能にする読取許可手段を備えることができるので、読取送受信装置の使用者を特定し、使用者の携帯電話に個人認証タグから暗号情報を読み取るための使用者認証情報を送信するので、読取送受信装置を使用する使用者のなりすましを防止できる。
【発明の効果】
【００２２】
本発明によれば、施設外で個人を特定可能な、個人認証タグおよびこれを用いた認証システムを提供することができる。
【図面の簡単な説明】
【００２３】
【図１】本発明に係る個人認証タグの一例を示すもので、（Ａ）は表面に個人識別番号を表示した例を示す平面図であり、（Ｂ）は記憶手段を内蔵した例を示す平面図である。
【図２】図１（Ａ）に示す、個人認証タグを用いた認証システムの一例を示す図である。
【図３】図１（Ｂ）に示す、個人認証タグを用いた認証システムの一例を示す図である。
【発明を実施するための形態】
【００２４】
以下に、図面を参照して、本発明の一実施の形態について説明する。
【００２５】
＜実施の形態１＞
図１（Ａ）は、本発明に係る個人認証タグの一実施の形態を示し、図２は、図１（Ａ）に示す個人認証タグを用いた認証システムの一実施の形態を示している。
【００２６】
図１（Ａ）に示す本発明に係る個人認証タグ１は、プレート３の表面に本人の顔写真５を視認可能に記録し、プレート３の表面に本人を特定するための個人情報でない個人識別番号（ＩＤ）、照会機関への連絡先（ＴＥＬ）、および、有効期限（ＤＡＴＥ）を記載し、プレート３に設けられた孔７に本人が身に着けるための取付部材９が挿入されている。この取付部材９で、本人の手首、首、衣類等に取り付け可能である。
【００２７】
本人の顔写真５は、プレート３に、エッチング、印刷、刻印等の任意の方法で視認可能に記録されている。個人識別番号は、本人の個人情報、病歴等、または、対応方法を特定するために用いられる。
【００２８】
図２に示す個人認証タグ１を用いた認証システム１１は、個人認証タグ１と照会装置１３を備えている。
【００２９】
照会装置１３は、入力手段１５と、個人認証タグ１に記録された個人識別番号と、個人識別番号に対応して個人情報、病歴等、対応方法を記憶した個人認証用データベース１７と、入力手段１５に個人識別番号が入力されると、個人認証用データベース１７に記憶された本人の個人情報、病歴等、対応方法を読み出して、表示する表示手段１９を有する。
【００３０】
災害時等の非常時に、施設外等の外部において、個人認証タグ１を取付部材９を介して身に着けた本人を発見した場合、発見者が、顔写真５と本人とを比較することにより、個人認証タグ１の所有者と本人の一致を確認できる。
【００３１】
また、発見者等が所有する電話２１で、個人認証タグ１に記載された連絡先に連絡することにより、所定の照会機関に連絡をすることができる。
【００３２】
照会機関では、照会装置１３に発見者から聞いた個人識別番号を入力手段１５で入力し、個人認証用データベース１７に記憶された本人の個人情報、病歴等、または、対応方法を読み出して表示手段１９に表示することにより、発見者等に適切な対応方法を伝えることができる。例えば、対応方法としては、警察への連絡、特定の病院への搬送依頼、保護依頼等がある。
【００３３】
＜実施の形態２＞
図１（Ｂ）は、本発明に係る個人認証タグ１ａの一実施の形態を示し、図３は、図１（Ｂ）に示す個人認証タグ１ａを用いた認証システム１１ａの一実施の形態を示している。
【００３４】
図１（Ｂ）に示す本発明に係る個人認証タグ１ａは、プレート３ａの表面に本人の顔写真５を視認可能に記録し、本人を特定するための個人情報でない個人識別番号（ＩＤ）、照会機関への連絡先（ＴＥＬ）、および、有効期限（ＤＡＴＥ）を暗号化した暗号情報を記録する記憶手段２３が内蔵され、プレート３に設けられた孔７ａに本人が身に着けるための取付部材９ａが挿入されている。この取付部材９ａで、本人の手首、首、衣類等に取り付け可能である。
【００３５】
本人の顔写真５は、プレート３ａに、エッチング、印刷、刻印等の任意の方法で視認可能に記録されている。個人識別番号は、本人の個人情報、病歴等、または、対応方法を特定するために用いられる。
【００３６】
図３に示す個人認証タグ１ａを用いた認証システム１１ａは、記憶手段２３を有する個人認証タグ１ａ、照会装置１３ａ、記憶手段２３に暗号情報を記録する記録装置２５、読取送受信装置２７を備えている。読取送受信装置２７は、発見者（第三者）が、個人認証タグ１ａの表面または裏面に記載されているコールセンターの連絡先へ携帯電話等で連絡して、コールセンターまたはその他の待機所等から保護等へ向かった特定の担当者（使用者）が携帯している。
【００３７】
読取送受信装置２７は、記憶手段２３に記録された暗号情報を読み込み、暗号情報から個人認証タグ１ａに記載された個人識別番号、照会機関への連絡先を復号化し、照会機関である連絡先へ通知手段２９ａで電話回線やネット回線等を介して個人識別番号を送信する。
【００３８】
照会装置１３ａは、読取送受信装置２７から送信される個人識別番号と、この個人識別番号に対応して個人情報、病歴等、または、対応方法を記憶した個人認証用データベース１７ａと、読取送受信装置２７から個人識別番号を受信手段３１ａで受信すると、個人認証用データベース１７ａに記憶された本人の個人情報、病歴等、または、対応方法を表示する表示手段１９ａを有する。
【００３９】
災害時等の非常時に、施設外等の外部で、個人認証タグ１ａを取付部材９ａで身に着けた本人を発見した場合、使用者が、顔写真５と本人とを比較することにより、個人認証タグ１ａの所有者と本人の一致を確認できる。また、使用者が所有する読取送受信装置２７で個人認証タグ１ａから読み出した連絡先に連絡することにより所定の照会機関に連絡をすることができる。
【００４０】
照会機関では、照会装置１３ａに読取送受信装置２７から送信された個人識別番号を受信手段３１ａで受信し、個人認証用データベース１７ａに記憶された本人の個人情報、病歴等、または、対応方法を読みだして表示手段１９ａに表示することにより、使用者に適切な対応方法を伝えることができる。例えば、対応方法としては、警察への連絡、特定の病院への搬送依頼、保護依頼等がある。
【００４１】
また、照会装置１３ａは、位置情報と位置情報に対応した対象地域の所定の機関を記憶した位置情報データベース３３と、読取送受信装置２７に通知する通知手段２９ａを備え、読取送受信装置２７は読取送受信装置２７の位置情報を通知手段２９ｂで照会装置１３ａに送信し、照会装置１３ａの通知手段２９ａは送信された位置情報に基づき位置情報データベース３３から読み出された対象地域の所定の機関の連絡先（ＴＥＬ，メールアドレス等）を読取送受信装置２７の受信手段３１ｂに送信する。使用者は、対象地域の所定の機関の連絡先を知ることができるので、迅速かつ適切な対応をとることが可能になる。
【００４２】
また、読取送受信装置２７は、読取送受信装置２７の識別情報と、この識別情報に対応して記憶された使用者を特定する使用者識別情報を記録する使用者識別データベース３５ｂと、使用者識別データベース３５ｂに基づき読取送受信装置２７の使用者を特定する使用者特定手段３７と、通知手段２９ｂを備える。照会装置１３は、読取送受信装置２７の識別情報と、この識別情報に対応して記憶された使用者および携帯電話番号を記録する使用者識別データベース３５ａと通知手段２９ａと表示手段１９ｂとを備える。
【００４３】
使用者特定手段３７が、読取送受信装置２７に入力されるパスワード、バイオメトリック情報、または、位置情報から使用者を特定し、使用者を特定する使用者情報を照会装置１３ａへ通知手段２９ｂで送信し、照会装置１３ａは、使用者情報に基づき使用者識別データベース３５ａから携帯電話番号を読み出し、照会装置１３の通知手段２９は、携帯電話番号を用いて使用者認証情報を電子メールで使用者に電話２１に送信または自動音声で使用者に電話２１に通知する。
【００４４】
読取送受信装置２７は、使用者が読取送受信装置２７に使用者認証情報を入力手段１５ｂで入力すると、読取送受信装置２７が個人認証タグ１ａから暗号情報を読取可能にする読取許可手段３９を備え、読み取った情報を表示手段１９ｂに表示する。個人認証タグ１ａから暗号情報を読みとることができる使用者を特定することができるので、秘匿性が高い認証システム１１ａを構築することができる。
【００４５】
＜変形例１＞
上記実施の形態１においては、プレート３の表面に本人を特定するための個人情報でない個人識別番号、照会機関への連絡先、および、有効期限を記載した例について説明した。
【００４６】
しかし、これに限られず、プレート３の裏面に本人を特定するための個人情報でない個人識別番号、照会機関への連絡先、および、有効期限を記載したであっても良い。
【符号の説明】
【００４７】
１，１ａ  個人認証タグ
３，３ａ  プレート
５  顔写真
７，７ａ  孔
９，９ａ  取付部材
１１，１１ａ  認証システム
１３，１３ａ  照会装置
１５，１５ｂ  入力手段
１７，１７ａ  個人認証用データベース
１９，１９ａ，１９ｂ  表示手段
２１  電話
２３  記憶手段
２５  記録装置
２７  読取送受信装置
２９，２９ａ，２９ｂ  通知手段
３１，３１ａ，３１ｂ  受信手段
３３  位置情報データベース
３５，３５ａ，３５ｂ  使用者識別データベース
３７  使用者特定手段
３９  読取許可手段
【図１】
2016206253.tif 000003
【図２】
2016206253.tif 000004
【図３】
2016206253.tif 000005